(57)【要約】【課題】刈取機を構成する必須の構成部材に設けるとともに、草刈り鎌が堅実に保持されて着脱もし易い鎌保持体を備えた刈取機を提供すること。【解決手段】植立している作物を引き起こす引起部と、引起部により引き起こされた作物を刈り取る刈取部と、これら引起部と刈取部を支持する支持フレームを備えた刈取機において、引起部の背面に草刈り鎌の刃部を着脱自在に保持する鎌保持体を設けて、引起部の背面側に形成されるデッドスペース内に草刈り鎌を収容可能となした。【選択図】図１
2013162763.tif 000002
【特許請求の範囲】
【請求項１】
植立している作物を引き起こす引起部と、引起部により引き起こされた作物を刈り取る刈取部と、これら引起部と刈取部を支持する支持フレームを備えた刈取機において、
引起部の背面に草刈り鎌の刃部を着脱自在に保持する鎌保持体を設けて、引起部の背面側に形成されるデッドスペース内に草刈り鎌を収容可能となしたことを特徴とする刈取機。
【請求項２】
鎌保持体は少なくとも上方が開口された筒状の保持本体を具備して、上方開口部から保持本体内に草刈り鎌の刃部を抜き差し自在に挿入するとともに、草刈り鎌の把持部が後方へ伸延するように草刈り鎌を収容・配置したことを特徴とする請求項１記載の刈取機。
【請求項３】
引起部の背面左右一側部と機体フレームとの間にサイドカバー体を架設し、サイドカバー体の内方に位置する引起部の背面中途部に保持本体を配設するとともに、保持本体の上方開口部はサイドカバー体よりも上方に露出させて配置したことを特徴とする請求項２記載の刈取機。
【請求項４】
保持本体に刃部が保持された草刈り鎌の把持部は、サイドカバー体の上端面から上方に露出して配置されるようにしたことを特徴とする請求項３記載の刈取機。
【発明の詳細な説明】
【技術分野】
【０００１】
本発明は、鎌を保持する鎌保持体を備えた刈取機に関する。
【背景技術】
【０００２】
従来、刈取機の一形態として草刈り鎌を着脱自在に保持する鎌保持体を備えた刈取機が特許文献１に開示されている。すなわち、特許文献１には、機体から後方へ延設したハンドルの一側基端部に予備結束用紐を保持する予備紐ホルダーを設けて、予備紐ホルダーに外側方に開口した開口部を有する鎌保持体を設けた刈取機が開示されている。鎌保持体には草刈り鎌の把持部を外側方に開口した開口部から嵌入することで、草刈り鎌をハンドルの側部に沿わせて保持することができる。
【先行技術文献】
【特許文献】
【０００３】
【特許文献１】特開平８−２２８５６７
【発明の概要】
【発明が解決しようとする課題】
【０００４】
しかしながら、特許文献１に開示された刈取機では予備紐ホルダーに鎌保持体を設けるようにしているため、予備紐ホルダーを設けていない刈取機では鎌保持体を設けることができないという不具合がある。つまり、刈取機を構成する必須の構成部材に鎌保持体を設けていないため、既存形態の刈取機にも適用することができるという汎用性に欠けているという不具合がある。
【０００５】
そこで、本発明は、刈取機を構成する必須の構成部材に設けるとともに、草刈り鎌が堅実に保持されて着脱もし易い鎌保持体を備えた刈取機を提供することを目的とする。
【課題を解決するための手段】
【０００６】
請求項１記載の発明では、植立している作物を引き起こす引起部と、引起部により引き起こされた作物を刈り取る刈取部と、これら引起部と刈取部を支持する支持フレームを備えた刈取機において、引起部の背面に草刈り鎌の刃部を着脱自在に保持する鎌保持体を設けて、引起部の背面側に形成されるデッドスペース内に草刈り鎌を収容可能となしたことを特徴とする。
【０００７】
かかる刈取機では、刈取機を構成する必須の構成部材である引起部の背面に鎌保持体を設けて、引起部の背面側に形成されるデッドスペース内に草刈り鎌を収容可能となしているため、既存形態の刈取機にもデッドスペースを有効活用して適用することができるという汎用性を有している。しかも、鎌保持体には草刈り鎌を堅実に保持させることができるとともに、鎌保持体から草刈り鎌を容易に着脱することができる。
【０００８】
請求項２記載の発明では、鎌保持体は少なくとも上方が開口された筒状の保持本体を具備して、上方開口部から保持本体内に草刈り鎌の刃部を抜き差し自在に挿入するとともに、草刈り鎌の把持部が後方へ伸延するように草刈り鎌を収容・配置したことを特徴とする。
【０００９】
かかる刈取機では、上方開口部から保持本体内に草刈り鎌の刃部を挿入して、草刈り鎌の把持部（柄部）が後方へ伸延するように配置すると、草刈り鎌の自重によるモーメント力が作用して、刃部の刃背側が保持本体の前面側に押圧されることで、草刈り鎌が保持本体内にて静止状態で堅実に保持される。
【００１０】
請求項３記載の発明では、引起部の背面左右一側部と支持フレームとの間にサイドカバー体を架設し、サイドカバー体の内方に位置する引起部の背面中途部に保持本体を配設するとともに、保持本体の上方開口部はサイドカバー体よりも上方に露出させて配置したことを特徴とする。
【００１１】
かかる刈取機では、保持本体の上方開口部はサイドカバー体よりも上方に露出させて配置しているため、上方開口部が視認し易い。そのため、草刈り鎌の把持部を把持したまま、上方開口部から保持本体内に草刈り鎌の刃部を挿入することで収容作業を簡単かつ堅実に行うことができる。また、草刈り鎌の把持部を把持して保持本体内から草刈り鎌の刃部を上方へ引き抜けば、草刈り鎌を簡単に取り出すことができる。
【００１２】
請求項４記載の発明では、保持本体に刃部が保持された草刈り鎌の把持部は、サイドカバー体の上端面から上方に露出して配置されるようにしたことを特徴とする。
【００１３】
かかる刈取機では、保持本体に刃部が保持された状態において、草刈り鎌の把持部がサイドカバー体の上端面から上方に露出して配置されているため、把持部を視認することで草刈り鎌の存否を側方から容易に視認することができる。そして、草刈り鎌を使用する際には露出している把持部を楽に把持することができて、草刈り鎌を簡単に取り出すことができる。したがって、草刈り鎌の管理性と取り出し・収納性を良好に確保することができる。
【発明の効果】
【００１４】
本発明によれば、次のような効果が生起される。すなわち、本発明では、鎌保持体に、既存形態の刈取機にもデッドスペースを有効活用して適用することができるという汎用性と、草刈り鎌を堅実に保持させることができるという保持性と、草刈り鎌を容易に着脱することができるという取り出し・収納性（取り扱い性）とを保有させることができる。
【図面の簡単な説明】
【００１５】
【図１】本発明に係る刈取機の側面図。
【図２】本発明に係る刈取機の平面図。
【図３】要部の拡大側面説明図。
【図４】要部の分解斜視説明図。
【図５】要部の断面側面説明図。
【図６】図５のＸ矢視図。
【図７】要部の断面平面説明図。
【図８】動力伝達説明図。
【図９】スタンド体の取付構造を示す一部切欠側面説明図。
【図１０】スタンド体の背面動作説明図。
【発明を実施するための形態】
【００１６】
以下に、本発明の実施形態を、図面を参照しながら説明する。
【００１７】
図１及び図２に示す１０は歩行型の一輪一条刈り刈取機である。刈取機１０は、自走可能な機体１１の前方位置に引起部１２を備えた刈取部１３を配設し、刈取部１３の直後方位置に搬出部１５を備えた結束部１４を配設して構成している。
【００１８】
このように構成して、圃場Ｇ内にて機体１１を走行させながら、植立している作物（例えば、穀稈）を刈取部１３により刈り取り、刈取部１３により刈り取られた穀稈を結束部１４により結束して、結束部１４により結束された穀稈を搬出部１５により側方へ（本実施形態では進行方向に向かって右側方へ）搬出するようにしている。この際、刈取部１３は、植立している穀稈を引起部１２により引き起こしながら刈り取るようにしている。
【００１９】
機体１１は、前後方向に伸延させて枠状に形成した機体フレーム２０の後端部にミッションケース部２１を取り付け、ミッションケース部２１の右側後部に原動機部としてのリコイルスタータ式のエンジン２２を連動連設する一方、ミッションケース部２１の左側後部に前後方向に伸延する伝動ケースとしてのチェンケース２３の基端部（後端部）を左右方向の軸線廻りに回動自在に枢支するとともに連動連結し、チェンケース２３の先端部（前端部）に走行輪２４を左右方向に伸延する軸線廻りに回動可能に連動連結している。機体フレーム２０とチェンケース２３との間には昇降シリンダ２５を介設して、昇降シリンダ２５の伸縮作動にチェンケース２３の昇降作動を連動させて、機体１１を昇降調節可能としている。
【００２０】
機体フレーム２０の前部には左右一対のハンドル２６,２７の基端部を連設し、ハンドル２６,２７を後上方へ伸延させて、各先端部を機体１１の後方位置に配置している。左側のハンドル２６の先端部にはレバーガイド体２８を介して主クラッチレバー２９と駐車ブレーキレバー３０を左右に隣接させて配設する一方、右側のハンドル２７の先端部にはスイッチ支持体３１を介してボタン式のエンジン停止スイッチ３２を配設するとともに、作業クラッチレバーガイド体３３を介して作業クラッチレバー３４を配設している。３５は主変速レバーであり、３６は主変速レバーガイド体である。３７は燃料タンクである。
【００２１】
刈取部１３は、機体１１の前方に支持フレーム４０を介して片持ち支持させて取り付けている。そして、刈取部１３は、支持フレーム４０の先端部に穀稈を引き起こす引起部１２を配設し、引起部１２の下部後方位置において、支持フレーム４０の中途部に左右方向に伸延するバリカン型の刈刃５０を配設して、引起部１２により引き起こされた一条分の穀稈束の株元を刈刃５０により刈り取るように構成している。刈刃５０は後述する結束部１４とともにミッションケース部２１に連動連結している。
【００２２】
引起部１２は、機体フレーム２０から前方へ伸延させて形成した支持フレーム４０の先端部に、前低後高の傾斜姿勢となした左側のタインケース４１と右側の引起ガイド４２を左右方向に一定の間隔をあけて配置して取り付けている。タインケース４１内には多数のタイン４３を取り付けた回動チェン４４（図８参照）を配置して、回動チェン４４を回動させることにより、引起ガイド４２側にタイン４３を右側方へ略水平に突出させた引起姿勢で下方から上方へ移送させて、タイン４３により一条分の穀稈を引き起こすように構成している。４５はミッションケース部２１とタインケース４１との間に介設したタイン伝動ケース、４６はタインケース４１の下端部に取り付けた左側分草体、４７は引起ガイド４２の下端部に取り付けた右側分草体である。
【００２３】
結束部１４は、刈刃５０の右側後方位置に配設して、支持フレーム４０の右側部に支持させている。結束部１４にはクラッチドア、パッカー、ニードル、結節ビル、紐ホルダーを収容する結節カバー及び右放出アームなどを設けて、刈刃５０により刈り取られた一条分の穀稈束の株元部を結束紐（図示せず）により結束するように構成している。結束部１４はミッションケース部２１に連動連結している。
【００２４】
搬出部１５は、タインケース４１の背面部から後方へ伸延するとともに、引起ガイド４２の後方を右側方へ伸延する平面視Ｌ字状で板状の搬出ガイド体５５を配設して、搬出ガイド体５５に沿わせて結束した穀稈束を右側方へ搬出する搬出通路５６を形成している。
【００２５】
刈取機１０の機体１１の上方には紐ロール（図示せず）を上面側に載せる紐ケース体６０を配設しており、紐ケース体６０は機体フレーム２０の一部を形成するケース体支持フレーム６１に支持させている。タインケース４１の背面中途部の左側縁部と紐ケース体６０との間には、図３及び図４に示すように、サイドカバー体６２を配設するとともに、タインケース４１の背面中途部と紐ケース体６０を支持するケース体支持フレーム６１に着脱自在に架設している。サイドカバー体６２は、薄肉板状でかつ外形状を多角形状に形成したカバー本体６２ａの上縁部に、補強用のフランジ部６２ｂを内方へ突出させて一体成形している。
【００２６】
６５はタインケース４１の背面下部に突設したカバー前下部取付片、６６はケース体支持フレーム６１の先端部に取り付けたカバー後上部取付片、６５ａはカバー前下部取付片に形成した前下部ビス孔、６６ａはカバー後上部取付片に形成した後上部ビス孔、６７はサイドカバー体６２の前下部に形成した前下部ビス挿通孔、６８はサイドカバー体６２の後上部に形成した後上部ビス挿通孔、６９は整合する各ビス孔６５ａ,６６ａと各挿通孔６７,６８に挿通してサイドカバー体６２を装着するビスである。サイドカバー体６２の下方には、タインケース４１の背面下部の左側縁部と支持フレーム４０との間に下部カバー体６３を着脱自在に架設して、刈取機１０の左側部を閉塞している。６４はサイドデバイダである。
【００２７】
上記のように構成した刈取機１０は、図３〜図６に示すように、引起部１２の背面に草刈り鎌Ｋの刃部ｋ１を着脱自在に保持する鎌保持体７０を設けて、引起部１２の背面側に形成されるデッドスペースＳ内に草刈り鎌Ｋを収容可能となしている。
【００２８】
そして、鎌保持体７０は少なくとも上方が開口された四角形筒状の保持本体７１と、保持本体７１をタインケース４１の背面壁に取り付けている保持本体取付片７３とを具備している。本実施形態では保持本体７１を左右方向よりも前後方向に幅広の四角形筒状に形成して、上方開口部７２から保持本体７１内に草刈り鎌Ｋの刃部ｋ１を抜き差し自在に挿入可能に形成している。保持本体取付片７３は保持本体７１の前壁と同一左右幅に形成して、保持本体７１の前壁に重合状態に連設するとともに、下方へ伸延させ下端部を右側方へ伸延させて背面視鉤状に形成している。そして、保持本体取付片７３の先端部はタインケース４１の背面壁に取付ボルト７４により取り付けている。
【００２９】
このように構成して、鎌保持体７０は、保持本体７１内に上方開口部７２から草刈り鎌Ｋの刃部ｋ１を挿入するとともに、草刈り鎌Ｋの把持部ｋ２が後方へ伸延するように草刈り鎌Ｋを収容・配置可能としている。そして、保持本体７１は、サイドカバー体６２の内方に位置するタインケース４１の背面中途部に配設するとともに、保持本体７１の上方開口部７２は、その一部である前部側半部を側面視にてサイドカバー体６２よりも上方に露出させて配置している。そして、上方開口部７２は、タインケース４１の前低後高の傾斜姿勢と略平行する前低後高の方向に指向して開口している。したがって、上方開口部７２には草刈り鎌Ｋの刃部ｋ１を後側方から前下方へ振り下ろすように挿入することで、保持本体７１に刃部ｋ１を簡単に保持させることができる。この際、保持本体７１に刃部ｋ１が保持された草刈り鎌Ｋの把持部ｋ２は、サイドカバー体６２の上端面から上方に露出して配置されるようにしている。
【００３０】
タインケース４１の中途部にはサイドカバー体６２の前上部を位置決めする位置決め体８０を設けるとともに、位置決め体８０は保持本体７１の外側方（左側方）に隣接させて配設している。
【００３１】
すなわち、位置決め体８０は、タインケース４１の背面壁に前面を面接させて取り付けた縦長四角形状の取付片８１と、取付片８１の左側縁部から後方へ伸延させて形成した外側規制片８２と、取付片８１の上端縁部から後上方へ伸延させて形成した内側規制片８３とを一体成形している。そして、外側規制片８２の内面８２ａと内側規制片８３の外側端面８３ａとの間には、サイドカバー体６２のカバー本体６２ａの肉厚と略同一の間隙８４を形成している。内側規制片８３の直上方にフランジ部６２ｂを配置するとともに、間隙８４中にカバー本体６２ａを後方から挿入することで、カバー本体６２ａの外側方を外側規制片８２により規制するとともに、カバー本体６２ａの内側方を内側規制片８３により規制して、フランジ部６２ｂの下方を内側規制片８３により規制することができるようにしている。つまり、位置決め体８０によりサイドカバー体６２の前上部を位置決めすることができて、サイドカバー体６２の前下部と後上部のビス止め作業が楽に行えるようにしている。
【００３２】
上記のように構成することにより、刈取機を構成する必須の構成部材である引起部１２に設けたタインケース４１の背面に鎌保持体７０を設けて、引起部１２の背面側に形成されるデッドスペースＳ内に草刈り鎌Ｋを収容可能となしているため、既存形態の刈取機１０にもデッドスペースＳを有効活用して適用することができるという汎用性を有している。しかも、鎌保持体７０には草刈り鎌Ｋを堅実に保持させることができるとともに、鎌保持体７０から草刈り鎌Ｋを容易に着脱することができる。
【００３３】
そして、上方開口部７２から保持本体７１内に草刈り鎌Ｋの刃部ｋ１を貫通状態に挿入して、草刈り鎌Ｋの把持部（柄部）ｋ２が後方へ伸延するように配置すると、把持部ｋ２の自重による下方へのモーメント力が作用して、保持本体７１から下方へ貫通している刃部ｋ１の刃背側が、保持本体７１をタインケース４１の背面に取り付けている保持本体取付片７３の表面（後面）に押圧されるとともに、刃部ｋ１の基部が保持本体７１の上部後面に押圧されることで、草刈り鎌Ｋが保持本体７１内にて静止状態で堅実に保持される。
【００３４】
保持本体７１の上方開口部７２は、その一部である前部側半部をサイドカバー体６２の上端縁部（フランジ部６２ｂ）よりも上方に露出させて配置しているため、上方開口部７２が外側方からでも視認し易い。そのため、草刈り鎌Ｋの把持部ｋ２を把持したまま、サイドカバー体６２の上端面であるフランジ部６２ｂ越しに、上方開口部７２から保持本体７１内に草刈り鎌Ｋの刃部ｋ１を挿入することで収容（収納）作業を簡単かつ堅実に行うことができる。また、草刈り鎌Ｋの把持部ｋ２を把持して保持本体７１内から草刈り鎌Ｋの刃部ｋ１を上方へ引き抜けば、サイドカバー体６２の上端面であるフランジ部６２ｂ越しに、草刈り鎌Ｋを簡単に取り出すことができる。
【００３５】
保持本体７１に刃部ｋ１が保持された状態において、草刈り鎌Ｋの把持部ｋ２がサイドカバー体６２の上端面から上方に露出して配置されているため、把持部ｋ２を外側方から視認することで草刈り鎌Ｋの存否を刈取機１０の外側方から容易に視認することができる。そして、草刈り鎌Ｋを使用する際には、把持部ｋ２がサイドカバー体６２に近接させて配置されているとともに、上方へ露出しているため、作業者は把持部ｋ２をサイドカバー体６２の上端面であるフランジ部６２ｂ越しに、楽に把持することができて、草刈り鎌Ｋを簡単に取り出すことができる。したがって、草刈り鎌Ｋの管理性と取り出し・収納性を良好に確保することができる。
【００３６】
次に、刈取機１０の動力伝達構成について、図８を参照しながら説明する。すなわち、ミッションケース部２１は、ミッションケース２１ａ内に変速機構９０を配設し、変速機構９０に走行伝動機構９１と作業伝動機構９２を連動連結している。変速機構９０にはエンジン２２の駆動軸に連動連結した入力軸９３を設けて、入力軸９３からから取り入れた動力を走行伝動機構９１に設けた走行出力軸９４と作業伝動機構９２に設けた作業出力軸９５にそれぞれ変速して伝達するように構成している。変速機構９０には主クラッチ９６を設けており、主クラッチ９６には主クラッチ伝動ワイヤ９７（図１及び図２参照）を介して主クラッチレバー２９を連動連結して、主クラッチレバー２９を前後方向に揺動操作することにより主クラッチ９６を接続・切断操作可能としている。
【００３７】
走行伝動機構９１に設けた走行出力軸９４は、ミッションケース２１ａ内に横架するとともに、左右側方に突出させている。走行出力軸９４の左側突出端部にはチェンケース２３内の基端部に配設した入力側スプロケット９８を取り付け、チェンケース２３の先端部に架設した車軸９９に出力側スプロケット１００を取り付けて、両スプロケット９８,１００間に伝動チェン１０１を巻回している。車軸９９には走行輪２４を取り付けている。このように構成して、エンジン２２の駆動力が走行出力軸９４を介して走行輪２４に伝達されるようにしている。走行出力軸９４の右側突出端部には駐車ブレーキ１０２を取り付けており、駐車ブレーキ１０２をブレーキ制動させることにより、走行出力軸９４を介して走行輪２４を停止させることができるようにしている。駐車ブレーキ１０２にはブレーキ伝動ワイヤ１０７（図２参照）を介して駐車ブレーキレバー３０を連動連結して、駐車ブレーキレバー３０を前後方向に揺動操作することにより駐車ブレーキ１０２を制動（入り）・解除（切り）操作可能としている。
【００３８】
作業伝動機構９２に設けた作業出力軸９５は、ミッションケース２１ａ内に横架しており、作業出力軸９５の中途部に作業クラッチ１０３を設けて、作業クラッチ１０３に作業クラッチワイヤ１０８（図２参照）を介して作業クラッチレバー３４を連動連結して、作業クラッチレバー３４を前後方向に揺動操作することにより作業クラッチ１０３を接続・切断操作可能としている。作業出力軸９５には作業伝達軸１０４を連動連結して、作業伝達軸１０４をミッションケース２１ａから前方へ突出させている。作業伝達軸１０４にはタイン伝動ケース４５内に配設したタイン伝動機構１０５を連動連結するとともに、結束伝動ケース（図示せず）内に配設した結束伝動機構１０６を連動連結している。４８は結束部１４に連動連結したスターホイルであり、スターホイル４８はタイン４３により引き起こした一条分の穀稈束を刈刃５０側に掻き込むように構成している。このように構成して、エンジン２２の駆動力が作業出力軸９５→作業伝達軸１０４→タイン伝動機構１０５と結束伝動機構１０６→タインケース４１と結束部１４にそれぞれ伝達されるようにしている。
【００３９】
図９及び図１０に示す１１０は刈取機１０の中途部を支持するスタンド体である。スタンド体１１０は前後方向の軸線廻りに上方に跳ね上げた状態の不使用（収納）位置（ａ）と、下方に垂下させた状態の使用位置（ｂ）とに位置変更自在となしている。スタンド体１１０は、支持フレーム４０の左側部の基端部に設けた紐通しガイド体１１１にブラケット１１２を介して取り付けており、ブラケット１１２には前後方向に軸線を向けた枢軸１１３を取り付け、枢軸１１３にスタンド体１１０の上端部を枢支している。１１４はスタンド体１１０を不使用（収納）位置（ａ）と使用位置（ｂ）とに固定・解除する固定・解除ピンである。紐通しガイド体１１１は上下面と前面が開口する樋状に形成して、結束紐を通して結束部１４に案内するようにしている。
【００４０】
このように構成して、スタンド体１１０は枢軸１１３を中心に外側方廻りに不使用（収納）位置（ａ）と使用位置（ｂ）との間で略１８０度回動自在としている。そのため、スタンド体１１０の回動操作時にスタンド体１１０が刈取機１０の他の部材（例えば、走行輪２４）と干渉するのを回避して、スタンド体１１０が他の部材を損傷等させるのを防止することができる。
【符号の説明】
【００４１】
１０  刈取機
１１  機体
１２  引起部
１３  刈取部
１４  結束部
１５  搬出部
７０  鎌保持体
８０  位置決め体
Ｋ  草刈り鎌
ｋ１  刃部
ｋ２  把持部
Ｓ  デッドスペース
【図１】
2013162763.tif 000003
【図２】
2013162763.tif 000004
【図３】
2013162763.tif 000005
【図４】
2013162763.tif 000006
【図５】
2013162763.tif 000007
【図６】
2013162763.tif 000008
【図７】
2013162763.tif 000009
【図８】
2013162763.tif 000010
【図９】
2013162763.tif 000011
【図１０】
2013162763.tif 000012